【手続補正書】
【提出日】平成31年2月14日(2019.2.14)
【手続補正１】
【補正対象書類名】特許請求の範囲
【補正対象項目名】全文
【補正方法】変更
【補正の内容】
【特許請求の範囲】
【請求項１】
横方向と前後方向と、それらに交差する上下方向とを有し、容器本体と、前記容器本体の頂面壁に位置し、シート材をポップアップ式に取り出すことのできる分与開口を有する分与構造体と、前後端縁と、前記後端縁側において前記容器本体にヒンジ部を介して旋回可能に取り付けられ、前記分与開口を気密に閉じることのできる上蓋とを含む蓋機構を備えた前記シート材の分与容器であって、
前記容器本体は、前記分与構造体が配置される凹面部と、少なくとも一部において前記分与開口と連通する容器開口とを有し、
前記凹面部には前記容器開口を囲む環状の支持突起が位置し、
前記分与構造体は、前記凹面部に固定されるフランジと、前記フランジの内方において上方へ突出する中空の周壁とを有し、
前記分与構造体を前記凹面部に配置した状態において、前記支持突起が前記周壁内に位置していることを特徴とする分与容器。
【請求項２】
前記支持突起は、前記周壁内に挿入された状態において、前記周壁の内面に当接されている請求項１に記載の分与容器。
【請求項３】
前記支持突起は、前記周壁内に挿入された状態において、前記周壁の外側部分の内面に当接されている請求項２に記載の分与容器。
【請求項４】
前記分与構造体の前記周壁は頂面を有し、前記周壁内において前記頂面と前記支持突起との間に離間部が形成される請求項１−３のいずれかに記載の分与容器。
【請求項５】
前記周壁の前記頂面は平坦状である請求項４に記載の分与容器。
【請求項６】
前記上蓋は、内面部から下方へ延びる環状リブを有し、前記上蓋を閉じた状態において、前記環状リブの先端部が前記周壁に当接される請求項４に記載の分与容器。
【請求項７】
前記環状リブは、内側リブと前記内側リブを囲む外側リブとを有し、前記内側リブが前記外側リブよりも下方へ延出しており、前記上蓋の閉じた状態において、前記外側リブが前記周壁の前記頂面に当接され、前記内側リブが前記周壁の内側に位置する請求項６に記載の分与容器。
【請求項８】
前記環状リブは、前記上蓋の前記前後端縁側の部分に比べて、それらの間に位置する両側部分の方が下方に延出している請求項６又は７に記載の分与容器。
【請求項９】
前記分与開口は、前記後端縁側に位置して前記横方向及び前記前後方向へ拡がる第１孔部と、前記横方向における前記第１孔部のほぼ中央部から連なって前記前端縁側へ延びる第２孔部とから形成され、前記第１孔部の前記横方向における寸法は前記第２孔部の前記横方向における寸法よりも大きい請求項１−８のいずれかに記載の分与容器。
【請求項１０】
前記分与構造体は、前記周壁の内方に位置する内蓋部と、前記内蓋部の内方に位置する内側フラップとを有し、前記内側フラップは前記第２孔部の開口縁部に位置する高剛性域を除いて前記内蓋部よりも剛性が低く、前記高剛性域は前記内蓋部と同等の剛性を有する請求項９に記載の分与容器。
【請求項１１】
前記分与構造体は、前記周壁の内方に位置する内蓋部を有し、前記内蓋部は上方へ隆起するようなドーム状を有する請求項１−９のいずれかに記載の分与容器。
【請求項１２】
請求項１に記載の前記分与容器の前記容器本体内に収められる包装体。
【請求項１３】
前記分与容器の前記容器本体内に収められ、支持面の内面に止着可能なシール部を備えた請求項１２に記載の包装体。
【請求項１４】
横方向と前後方向とを有し、それらに交差する上下方向とを有し、機構本体と、前記機構本体の頂面壁に位置し、シート材をポップアップ式に取り出すことのできる分与開口を有する分与構造体と、前後端縁と、前記後端縁側において容器本体にヒンジ部を介して旋回可能に取り付けられ、前記分与開口を気密に閉じることのできる上蓋とを含む蓋機構において、
前記機構本体は、前記分与構造体が配置される凹面部と、少なくとも一部において前記分与開口と連通する機構開口とを有し、
前記凹面部には前記機構開口を囲む環状の支持突起が位置し、
前記分与構造体は、前記凹面部に固定されるフランジと、前記フランジの内方において上方へ突出する中空の周壁とを有し、
前記分与構造体を前記凹面部に配置した状態において、前記支持突起が前記周壁内に位置していることを特徴とする蓋機構。
【請求項１５】
請求項１４に記載の前記蓋機構における、前記機構本体に止着可能なシール部を備えた包装体。
【手続補正２】
【補正対象書類名】明細書
【補正対象項目名】０００７
【補正方法】変更
【補正の内容】
【０００７】
本願の第１発明は、横方向と前後方向と、それらに交差する上下方向とを有し、容器本体と、前記容器本体の頂面壁に位置し、シート材をポップアップ式に取り出すことのできる分与開口を有する分与構造体と、前後端縁と、前記後端縁側において前記容器本体にヒンジ部を介して旋回可能に取り付けられ、前記分与開口を気密に閉じることのできる上蓋とを含む蓋機構を備えた前記シート材の分与容器に関する。
【手続補正３】
【補正対象書類名】明細書
【補正対象項目名】００１１
【補正方法】変更
【補正の内容】
【００１１】
第１発明に係る分与容器の他の実施態様の一つにおいて、前記支持突起は、前記周壁内に挿入された状態において、前記周壁の外側部分の内面に当接されている。
【手続補正４】
【補正対象書類名】明細書
【補正対象項目名】００２３
【補正方法】変更
【補正の内容】
【００２３】
第１発明に係る分与容器のさらに他の実施態様の一つにおいて、前記分与開口は、前記後端縁側に位置して前記横方向及び前記前後方向へ拡がる第１孔部と、前記横方向における前記第１孔部のほぼ中央部から連なって前記前端縁側へ延びる第２孔部とから形成され、前記第１孔部の前記横方向における寸法は前記第２孔部の前記横方向における寸法よりも大きくなっている。
【手続補正５】
【補正対象書類名】明細書
【補正対象項目名】００３６
【補正方法】変更
【補正の内容】
【００３６】
図面は、本発明の特定の実施の形態を示し、発明の不可欠な構成ばかりでなく、選択的及び好ましい実施の形態を含む。
【図１】上蓋が閉じた状態における、本発明に係るシート材の分与容器の斜視図。
【図２】上蓋が開いた状態における、分与容器の斜視図。
【図３】分与容器の分解斜視図。
【図４】図１のＩＶ−ＩＶ線に沿う断面図。
【図５】図１のＶ−Ｖ線に沿う断面図。
【図６】図４の一点鎖線ＶＩで囲んだ領域の一部拡大図。
【図７】上蓋の斜視図。
【図８】容器本体の凹面部の斜視図。
【図９】分与構造体を上方から視た平面図。
【図１０】（ａ）分与構造体を下方から視た平面図。（ｂ）図１０（ａ）において示す、Ｘ（ｂ）線に沿う断面図。
【図１１】（ａ）取り付け前における、係合爪と係合孔とによる取付部の拡大断面図。（ｂ）取り付け後における、係合爪と係合孔とによる取付部の拡大断面図。
【図１２】（１）包装体の実施例の一例における斜視図。（２）包装体の他の実施例における斜視図。
【図１３】（ａ）包装体内のシート材の積層態様の一例における一部断面図。（ｂ）包装体内のシート材の積層態様の他の一例における一部断面図。
【図１４】シート材が包装体開口、容器開口及び分与開口を通過して取り出される様子を示す図。
【図１５】図３における一点鎖線ＸＶで囲んだ領域の一部拡大図。
【図１６】図２において一点鎖線ＸＶＩ線で囲んだ領域の一部拡大図。
【図１７】他の実施例における蓋機構の斜視図。
【手続補正６】
【補正対象書類名】明細書
【補正対象項目名】００５４
【補正方法】変更
【補正の内容】
【００５４】
図４−６を参照すると、上蓋３０をヒンジ部５を介して凹面部２３側へ旋回して閉蓋した状態において、上蓋３０の内面に位置する外側リブ３５が分与構造体５０の周壁５２の頂面５２ａに当接される。このように、互いに当接される外側リブ（環状リブ）３５と周壁５２とが一体となって、分与開口５４を囲繞する上方シール部７が形成される。また、上蓋３０の内周面が分与開口５４と対向する天井部分を形成することから、上方シール部７と天井部分とによって分与開口５４の上方には気密性のある空間Ｓ１が画成され、シート材９に含まれる液体が蒸発するのを効果的に防止することができる。
【手続補正７】
【補正対象書類名】明細書
【補正対象項目名】００６１
【補正方法】変更
【補正の内容】
【００６１】
図１２（ａ），（ｂ）は、それぞれ、包装体９０の実施例の一例を示すものである。図１２（ａ）を参照すると、本実施例においては、包装体９０は、拭浄用のウエットシートやウエットティッシュ等の複数のシート材９と、シート材９を包被する包装シート９１と、包装シート９１からシート材９を取り出すための包装体開口９２と、包装体開口９２を閉塞し、包装体９０の上面に貼付した封印シール（図示せず）とを有している。包装体９０は、不透液性のプラスチック製であって、内部のシート材に含浸された液体（水、アルコール、薬剤等）が蒸発するのを防止する。
【手続補正８】
【補正対象書類名】明細書
【補正対象項目名】００８９
【補正方法】変更
【補正の内容】
【００８９】
また、容器本体２０と底蓋７０とを容易に分離することができるように、支持凸部７４及び/又はそれと接する容器本体２０の周壁２２の内面に滑剤を塗布したり、シボ加工を施す等して摩擦を低減する加工を施してもよい。かかる場合には、操作リブ７５を引っ張ったときに底蓋７０が容器本体２０からより外れやすくなるとともに、製造工程において複数の容器本体２０を積み重ねた状態において、個々に分離しやすくなる。なお、操作リブ７５は、操作の便宜上、底蓋７０の四隅にそれぞれ配置されているが、少なくとも隅部に配置されていればよい。
【手続補正９】
【補正対象書類名】明細書
【補正対象項目名】００９０
【補正方法】変更
【補正の内容】
【００９０】
本実施形態において、分与構造体５０と容器本体２０とは別体で形成されているが、二色成形によって一体的に形成することもできる。ただし、分与構造体５０を別体に形成することによって、ばね部材３６の他端３６Ｂを支持面２４との間に抑えることができるとともに、経時劣化によって一部が破断、変形してマウス構造、密閉構造が上手く機能することができなくなった場合でも、新しい分与構造体５０に交換することによって、機能させることができる。
【手続補正１０】
【補正対象書類名】明細書
【補正対象項目名】００９２
【補正方法】変更
【補正の内容】
【００９２】
本実施形態において、蓋機構２は、横方向Ｘと前後方向Ｚと、それらに交差する上下方向Ｙとを有し、包装体９０の上面にシール部９３を介して直接に取り付けられた機構本体３を含む。機構本体３は、その頂面壁１２１の凹面部２３に配置され、シート材９をポップアップ式に取り出すことのできる分与開口５４を有する分与構造体５０と、前後端縁３０ａ，３０ｂと、後端縁３０ｂ側において機構本体３にヒンジ部５を介して旋回可能に取り付けられ、分与開口５４を気密に閉じることのできる上蓋３０とを含む。